(57)【要約】【課題】湾曲表示面を備えつつ液晶表示面が前面に近く視認性が高められ得る液晶表示装置及びこれを用いた電子時計を提供すること、また、湾曲した表示面を備えたフィルム液晶パネルの表示ムラを最小限に抑え得るようにした液晶表示装置及びこれを用いた電子時計を提供すること。【解決手段】電子時計１の液晶表示装置２０は、第一の湾曲表面Ｓ２を備えた実質的に剛性で透明な上ケース板４０と、可撓性のフィルム液晶パネル５０と、可撓性のフィルム液晶パネル５０の上面Ｓ５を実質上全域において上ケース板４０の第一の湾曲表面Ｓ１に密接させるべく、フィルム液晶パネル５０の下面を支える下ケース３０とを有する。下ケース３０は、典型的には、第二の湾曲表面Ｓ１を有し、該第二の湾曲表面Ｓ１においてフィルム液晶パネル５０の下面の実質上全域に密接する。【選択図】　　図１
2004069627.tif 000002
【特許請求の範囲】
【請求項１】
第一の湾曲表面を備えた透明な上ケース板と、
可撓性のフィルム液晶パネルと、
前記フィルム液晶パネルの上面を上ケース板の第一の湾曲表面に密接させるべく、前記フィルム液晶パネルの下面を支える下ケースと
を有する液晶表示装置。
【請求項２】
前記下ケースが、第二の湾曲表面を有し、該第二の湾曲表面において前記フィルム液晶パネルの下面に密接する請求項１に記載の液晶表示装置。
【請求項３】
前記第一及び前記第二の湾曲表面がほぼ同一の曲率を有し、且つ夫々円筒面の一部をなすように構成されている請求項２に記載の液晶表示装置。
【請求項４】
前記フィルム液晶パネルがほぼ長円形状を有し、フィルム液晶パネルの曲率が最大になる方向が長円の長径の延在方向に対して斜め方向である請求項１から３までのいずれか一つの項に記載の液晶表示装置。
【請求項５】
前記下ケースが前記フィルム液晶パネルを収容する凹部を備える請求項１から４までのいずれか一つの項に記載の液晶表示装置。
【請求項６】
前記下ケースが湾曲板状体からなる請求項１から４までのいずれか一つの項に記載の液晶表示装置。
【請求項７】
請求項１から６までのいずれか一つの項に記載の液晶表示装置を備えた電子時計。
【請求項８】
上ケース板が外装ケースガラスになっている請求項７に記載の電子時計。
【発明の詳細な説明】
【０００１】
【発明の属する技術分野】
本発明は、液晶表示装置及びこれを用いた電子時計に係る。
【０００２】
【従来の技術】
液晶表示装置が湾曲した表示面を備えた電子時計は知られており、この種の電子時計の液晶表示装置では、可撓性のフィルム液晶パネルが用いられる。
【０００３】
例えば、特開平６−１６０８２０号公報には、下側（背面側）の支持体を構成するハウジングの部分円筒状の湾曲表面上に、円筒の周方向に長い長方形状のフィルム液晶パネルを接着層を介して配置し、更にフィルム液晶パネルの長方形の周縁部を額縁状の押え部材で押えると共に該押え部材の対向端縁をハウジングと一体的なケースに固定し、更にその上に外装ケースガラスを配置することが開示されている。
【０００４】
また、ほぼ長円形状の可撓性のフィルム液晶パネルを該長円の長径の延在方向に対して斜め方向に沿って最大曲率になるように湾曲させると共に、フィルム液晶パネルを上下の枠体によって下面及び上面の外周縁で挟持してなる液晶表示装置を外装ケースの凹部に配置し、更にその前面において外装ケースの凹部の開口を閉じるべく、湾曲した外装ケースガラスを外装ケースに装着するようにした電子時計も提案されている。
【０００５】
【発明が解決しようとする課題】
しかしながら、いずれの液晶表示装置においても、可撓性のフィルム液晶パネルが上側枠体（額縁状の押え部材）により外周縁部で湾曲面状に支えられ、その上に外装ケースガラスが配置されているので、フィルム液晶パネル自体が薄いにもかかわらず、液晶パネルの表示面が奥に位置し（奥目感があり）、視認性が低下し、更に、液晶表示装置を含む装置（上述の例では電子時計）が厚くなり易い。
【０００６】
また、いずれの液晶表示装置においても、可撓性のフィルム液晶パネルが周縁部で押圧されて把持されているので、フィルム液晶パネルの組付けの際の力のかかり方次第では、液晶パネルのうち上側の枠体によって支えられていない中央部においては領域により捩れが生じたりして厚さ方向にかかる応力が一様でなくなって色ムラ（虹）の如き表示ムラが生じる虞れがある。
【０００７】
本発明は、前記した点に鑑みなされたものであり、その第一の目的は、湾曲表示面を備えつつ液晶表示面が前面に近く視認性が高められ得る液晶表示装置及びこれを用いた電子時計を提供することにある。
【０００８】
本発明の第二の目的は、湾曲した表示面を備えたフィルム液晶パネルの表示ムラを最小限に抑え得るようにした液晶表示装置及びこれを用いた電子時計を提供することにある。
【０００９】
【課題を解決するための手段】
本発明の液晶表示装置は、前記第一の目的を達成すべく、第一の湾曲表面を備えた透明な上ケース板と、可撓性のフィルム液晶パネルと、該フィルム液晶パネルの上面を上ケース板の第一の湾曲表面に密接させるべく、フィルム液晶パネルの下面を支える下ケースとを有する。上ケース板は、実質的に剛性を有するのが好ましい。また、上ケース板の第一の湾曲表面に、フィルム液晶パネルの上面を実質上全域に密着させるのが好ましい。
【００１０】
本発明の液晶表示装置では、第一の湾曲表面を備えた上ケース板を備えると共に、下ケースによって可撓性のフィルム液晶パネルの下面を支えて該フィルム液晶パネルの上面を実質上全域において透明な上ケース板の第一の湾曲表面に密接させるようにしているので、フィルム液晶パネルを湾曲状態で支持し得、また、上ケース板自体がケースガラスとして機能し得るから、フィルム液晶パネルの前面の周縁部を額縁状の上側枠体で支えその前面にケースガラスを配置する場合と比較して、ケースガラスの表面からフィルム液晶パネルの前面までの深さが最小限に抑えられて視認性が高められ得る。また、ケースガラスの表面から下ケースの背面までの厚さを薄くすることも可能になる。
【００１１】
ここで、ケースガラスとしても働く上ケース板は、典型的には、アクリルの如き透明で成形の容易な樹脂からなる。但し、透明で且つパネルを湾曲状態で支える剛性を備える限り、文字通りガラスからなっていても、通常はガラスとは呼ばれない透明なセラミック材料等他の材料からなっていてもよい。上ケース板に関して、「実質的に剛性」とは、フィルム液晶パネルによって変形される虞れがない程度に高い剛性を有することをいう。
【００１２】
また、本発明の液晶表示装置は、前記第二の目的を達成すべく、更に、下ケースが、第二の湾曲表面を有し、該第二の湾曲表面においてフィルム液晶パネルの下面の実質上全域に密接する。
【００１３】
その場合、本発明の液晶表示装置では、可撓性のフィルム液晶パネルが、その上下両面の実質上全域において上ケース板及び下ケース部材の第一及び第二の湾曲表面に密接せしめられて該上ケース板及び下ケース部材によって挟持されるので、フィルム液晶パネルが、その全域において一様に且つ安定に押圧保持されることが可能になるから、フィルム液晶パネルに表示ムラが生じる虞れが最小限に抑えられ得る。
【００１４】
本発明の液晶表示装置において、典型的には、第一及び第二の湾曲表面がほぼ同一の曲率を有し、且つ夫々が円筒面の一部をなすように構成されている。
【００１５】
また、本発明の液晶表示装置では、典型的には、例えば、フィルム液晶パネルがほぼ長円形状を有し、フィルム液晶パネルの曲率が最大になる方向が長円の長径の延在方向に対して斜め方向である。勿論、フィルム液晶パネルの曲率が最大になる方向が長円の長径の延在方向に対して斜め方向の代わりにこれに平行な方向であってもよい。また、フィルム液晶パネルは、ほぼ長円形状の代わりに、長方形状など多角形であってもよい。
【００１６】
フィルム液晶パネルの曲率が最大になる方向が長円の長径の延在方向に対して斜め方向である場合には、フィルム液晶パネルが湾曲される際フィルム液晶パネルに不均一な曲げ応力がかかり易く、フィルム液晶パネルが歪んだ状態で変形され易いけれども、フィルム液晶パネルが実質的に剛性の上ケース板及び下ケース部材の第一及び第二の湾曲表面に密接せしめられて該下ケース部材及び上ケース板によって挟持されるように構成された液晶表示装置では、フィルム液晶パネルに不均一な歪みが生じる虞れが最小限に抑えられ、表示ムラが生じる虞れが最小限に抑えられ得る。
【００１７】
このような液晶表示装置は、例えば、電子時計の液晶表示素子として用いられ得る。その場合、本発明の液晶表示装置を備えた電子時計では、上ケース板が実質的に剛性で透明な板からなるので、上ケース板が電子時計の外装ケースガラスを兼ね得るから、液晶表示面がケースガラス表面に近接して位置し得、高い視認性が確保され得る。また、ケースガラスの表面から液晶表示素子（装置）の背面までの厚さが最小限に抑えられ得るので、電子時計が腕時計の如きウオッチからなる場合でも、薄型化を図り得る。
【００１８】
【発明の実施の形態】
次に、本発明の好ましい実施の形態のいくつかを添付図面に示した好ましい実施例に基づいて説明する。
【００１９】
【実施例】
図１及び図２には、本発明による好ましい第一実施例の液晶表示装置２０を備えた腕時計型の電子時計１が示されている。説明の簡便化のために、電子時計１に固定されたＸ、Ｙ、Ｚ直交座標系を採り、Ｘ方向を時計１の長手方向（湾曲面の曲率が最大となる方向に一致）に、Ｙ方向を時計の１の平均的な延在面に沿い且つＸ方向に直角な方向に採る。Ｚ方向は、時計１の表示面の中心で見た場合、時計１の背面側から前面側に向かう向きであるとする。
【００２０】
この電子時計１は、前面側で開口した凹部３を備えた外装ケース２に加えて、図２に示したように、該凹部３内に配置された回路ブロック４、該回路ブロック４の電源として働く電池（図示せず）及び該電池を収容する電池枠６、並びに液晶表示装置２０を有する。液晶表示装置２０は、例えば、凹部３の外周縁に形成された相補的形状の段部ないし受台上に載置され、外周縁においてパッキンなどを介して外装ケースに固定される。液晶表示装置２０表面部自体が外装の一部をなす限り、液晶表示装置２０の載置や固定の仕方は、所望に応じて他の形態でもよい。
【００２１】
液晶表示装置２０は、下ケースとしての下側ないし背面側のケースガラス３０及び上ケース板としての上側ないし前面側のケースガラス４０と、二つのケースガラス３０、４０の間に配置されたフィルム液晶パネル５０とを有する。ここで、液晶表示装置２０の上側ないし前面側のケースガラス４０は、電子時計１の外装ガラスとしても働く。ケースガラス３０、４０は、例えば、アクリル樹脂の如き透明で実質的に剛性のプラスチック材料からなる。
【００２２】
下側ケースガラス３０は、湾曲面Ｓ１の形態の上面３１を有する湾曲板状の剛性支持体からなる。湾曲面Ｓ１は、Ｙ軸に平行な軸線を中心とし曲率半径がＲ１（図示せず）の円筒面の一部をなすような部分円筒面からなる。すなわち、ＸＺ平面に平行な断面で見ると、図２からわかる通り、湾曲面Ｓ１は、Ｙ方向の位置にかかわらず、半径Ｒ１（図示せず）の円弧をなす。より詳しくは、ケースガラス３０の面Ｓ１は、図１からわかる通り、Ｘ方向に沿う方向に円弧状長辺Ｓ１１が位置しＹ方向に平行な方向に短辺Ｓ１２が直線状に延びた形状を有し、仮に、湾曲していない状態を想定すれば実質的に長方形の形状を有する。下側ケースガラス３０は、更に、図１に示したように、長方形の四隅Ｓ１３の近傍及び湾曲した長辺Ｓ１１の中間部に取付孔３２を備える。
【００２３】
同様に、上側ケースガラス４０は、湾曲面Ｓ２の形態の下面４１を有する剛性支持体からなる。湾曲面Ｓ２は、湾曲面Ｓ１と同様に、Ｙ軸に平行な軸線を中心として曲率半径がＲ２（図示せず）の円筒面の一部をなすような部分円筒面からなる。曲率半径Ｒ２は典型的にはフィルム液晶パネル５０の厚さＴ分だけ曲率半径Ｒ１よりも大きく、典型的には、曲率半径Ｒ１とほぼ同程度の大きさである。すなわち、ＸＺ平面に平行な断面で見ると、湾曲面Ｓ２は、Ｙ方向の位置にかかわらず、半径Ｒ２（図示せず）の円弧をなす（図２）。より詳しくは、ケースガラス４０の面Ｓ２は、Ｘ方向に沿う方向に円弧状長辺Ｓ２１が位置しＹ方向に平行な方向に短辺Ｓ２２が直線状に延びた形状を有し、湾曲していない状態を想定すると実質的に長方形の形状を有する。上側ケースガラス４０は、更に、図１に示したように、長方形の四隅Ｓ２３の近傍及び湾曲した長辺Ｓ２１の中間部であって、下側ケースガラス３０の取付孔３２に対面する部位に取付用突起４２を備える。
【００２４】
フィルム液晶パネル５０は、典型的には、図２に示したように、上下の可撓性のフィルム状基板５１、５２及び該可撓性基板５１、５２の間に挟持された液晶層５３からなるフィルム液晶パネル本体部５４と、該本体部５４の上下に配置された可撓性の偏光板層５５、５６とを有し、フィルム液晶パネル５０の下側偏光板層５６の背面側には、バックライトとして働くＥＬパネル層５７が配置され、ＥＬパネル層５７の背面は、反射面５８になっている。なお、下側偏光板層５６の下面ないし背面に前面側からの光に対して半透過性の反射面が更に形成されていてもよい。可撓性基板５１、５２は、液晶層５３に電圧を印加するための配線や回路を有すると共に、夫々、全体として実質的に透明である。
【００２５】
なお、所望ならば、ＥＬパネル層５７はなくてもよく、その場合、反射面５８は、下側偏光板層５６の背面側に形成又は配置される。更に、上下の偏光板層５５、５６のうちの少なくとも一方、すなわち偏光板層５５または５６が対応する上側または下側ケースガラス４０、３０の内面４１、３１に一体的に形成されていてもよく、場合によっては、上側または下側ケースガラス４０、３０自体が偏光板層５５、５６になっていてもよい。
【００２６】
フィルム液晶パネル本体部５４及び上下の偏光板層５５、５６を含んでなるフィルム液晶パネル５０並びにＥＬパネル５７は、下側ケースガラス３０と同様に、湾曲していない状態では長辺がＳ３１で短辺がＳ３２の長方形の形状を有し、更に、図１に示したように、長方形の四隅Ｓ３３の近傍及び湾曲した長辺Ｓ３１の中間部に取付孔５９を備える。
【００２７】
液晶表示装置２０の組立てに際しては、上側ケースガラス４０の各係合突起４２に各被係合孔５９が嵌るようにフィルム液晶パネル５０及びＥＬパネル５７を載置すると共に、上側ケースガラス４０の各係合突起４２に各被係合孔３２が嵌るように下側ケースガラス３０をフィルム液晶パネル５０の上に載置する。更に、係合突起４２の先端部をカシメ等により、下側ケースガラス３０の背面３３に夫々の貫通孔３２のまわりで固定する。なお、図１及び図２では明示されていないけれども、フィルム液晶パネル５０の端部にある給電及び信号入力端子の部分に対応する下側ケースガラス３０の部分に、所望範囲において、開口が形成され回路ブロック４との間での電気接続が行われている。この開口は、端縁の凹部でもよい。勿論、例えば、突起４２を利用して電気接続を行ってもよい。
【００２８】
これにより、フィルム液晶パネル５０及びＥＬパネル５７は、その下面Ｓ４が下側ケースガラス３０の上面３１に実質的に全域で密接され、更に、その上面Ｓ５が上側ケースガラス４０の下面４１に実質的に全域で密接されて、上下のケースガラス４０、３０の間に固定される。
【００２９】
従って、フィルム液晶パネル５０及びＥＬパネル５７は、その上下の面Ｓ５、Ｓ４の間に、局所的な押圧力が働く虞れが少なく、表示ムラの生起の虞れが最低限に抑えられ得る。
【００３０】
また、この電子時計１では、可撓性のフィルム液晶パネル５０を湾曲状態で支える上側ケース４０が、湾曲板状体からなり、その背面Ｓ２においてフィルム液晶パネル５０の前面Ｓ５の全域に密接して該前面Ｓ５を支持するので、上側ケース４０がフィルム液晶パネル５０の上ケースとしてのみでなく電子時計１の前面側の外装のケースガラスとして働き得るから、フィルム液晶パネル５０の前面側を別のケースガラスで保護したり防水したりする必要がない。従って、外装ケースガラス４０の表面からフィルム液晶パネル５０の表示面までの奥行が最小限に抑えられるので、表示の奥目感が最低限に抑えられて視認性が高められ得る。また、部品点数が最小限に抑えられ得るだけでなく、電子時計１の全体の厚さを最小限に抑えることも可能になる。
【００３１】
以上においては、上側ケース４０の突起４２とフィルム液晶パネル５０及び下側ケース３０の被係合孔５９、３２との係合によって、上下のケース４０、３０の間のフィルム液晶パネル５０を固定・保持する例について説明したけれども、フィルム液晶パネル５０に過度な押圧力を及ぼす虞れを最小限にして、フィルム液晶パネル５０を確実に保持するためには、下ケースは、厚さがほぼ一定の湾曲板状のケース３０の代わりに、図３及び図４に示したように、凹部３５を備えた湾曲板状体３０ａからなっていてもよい。図３及び図４の電子時計１ａにおいて、図１及び図２の電子時計１と同様な部材ないし要素や部位には、同一の符号が付され、対応するけれども実質的に異なる部分がある部材ないし要素や部位については、対応する符号の後に添字「ａ」が付されている。
【００３２】
図３及び図４の電子時計１ａの液晶表示装置２０ａにおいて、下側ケースガラス３０ａは、凹部３５を有することに加えて、該凹部３５の周壁３６がフィルム液晶パネル５０ａの外周縁よりも外側まで延在して該周壁３６の上面３７が上側ケースガラス４０ａの下面４１ａの周縁部４４（図４）に当接されるように構成されている点及び被係合孔３２がない点で、図１及び図２の電子時計１の液晶表示装置２０の下側ケースガラス３０とは異なる。なお、凹部３５の深さはフィルム液晶パネル５０ａの厚さと実質的に同一であり、凹部３５の底壁面ないし底面３８は、図１の下側ケースガラス３０の上面３１と同様な湾曲面Ｓ１になっている。
【００３３】
液晶表示装置２０ａのフィルム液晶パネル５０ａは、被係合孔５９がない点を除いて、電子時計１の液晶表示装置２０のフィルム液晶パネル５０と実質的に同様に構成されており、下側ケースガラス３０ａの凹部３５に丁度嵌り込むようなＸ及びＹ方向の大きさを有する。
【００３４】
液晶表示装置２０ａの上ケース板としての上側ケースガラス４０ａは、下面４１ａに係合突起４２が形成されていない点、及びフィルム液晶パネル５０ａの外縁部の外側において下側ケースガラス３０ａの周壁３６の上面３７に下面４１ａの周縁部４４で当接するようにフィルム液晶パネル５０ａよりも僅かに大きく形成されている点を除いて、液晶表示装置２０の上側ケースガラス４０と同様に構成されている。
【００３５】
この液晶表示装置２０ａ及び電子時計１ａが、図１及び図２の液晶表示装置２０及び電子時計１と同様のメリットを有することは明らかであろう。
【００３６】
なお、図３及び図４の液晶表示装置２０ａにおいて、上ケース板４０ａの下面４１ａの周縁部４４に突起４２ａ（図示せず）を設け、下ケース３０ａの周縁部３６に該突起４２ａが嵌る被係合孔３２ａ（図示せず）を形成しておいてもよい。
【００３７】
フィルム液晶パネルが長円形や長方形の如く細長い表示領域を有し且つ該表示領域が部分円筒状（実質的に一定の曲率）である場合、その長径（長方形の如く多角形の場合には長い方の辺）の延在方向が曲率の最大になる方向に対して一致する（図１及び図２の液晶表示装置２０や、図３及び図４のフィルム液晶表示装置２０ａ）代わりに、斜め方向でもよい。このような一例を図５及び図６に示す。
【００３８】
このように斜め方向にフィルム液晶パネルを湾曲させる場合、フィルム液晶パネルの湾曲に際して、フィルム液晶パネルに一様な応力がかかり難い虞れがあるので、その湾曲状態での支持が特に重要になる。
【００３９】
図５の液晶表示装置２０ｂにおいて、図１や図２の液晶表示装置２０の部品や要素又は部位と実質的に部品や要素又は部位には同一の符号が付され、図１や図２の液晶表示装置２０の部品や要素又は部位と同様であるけれども実質的に異なる部分がある部品や要素又は部位には、同一の符号の後に符号「ｂ」が付されている。
【００４０】
図５の電子時計１ｂは、図６の（ａ）に示したように、左手の手首Ｌの延在方向Ｌ１に対して斜めに延びたほぼ長円形状の表示領域Ａを有する。この表示領域Ａは、更に、斜めに湾曲している。電子時計１ｂでは、フィルム液晶パネル５０ｂを含む液晶表示装置２０ｂの各表面が同様に湾曲した形状を有する。
【００４１】
従って、以下では、この湾曲形状を、上ケース板４０ｂを例にとって詳しく説明するけれども、上ケース板４０ｂの湾曲形状の説明は、フィルム液晶パネル５０ｂ及び下ケース３０ｂにそのまま当てはまる。この例では、曲率が最大になる断面に沿う方向で且つ手首Ｌの外周に沿う方向をＸ軸とし、手首Ｌの延在方向Ｌ１に沿って肘に向かう向きをＹ軸とするように三次元直交座標系Ｘ−Ｙ−Ｚを採る。ここで、Ｘ軸は左手の手首Ｌを身体の前面に平行に且つ水平に配置したとき前方を向き、Ｚ軸はＸ−Ｙ平面を水平にしたとき鉛直方向上向きに一致する。
【００４２】
図示の例では、この電子時計１ｂの上ケース板４０ｂは、図６の（ａ）及び（ｄ）からわかる通り、第一像限と第三像限とを結ぶ向きにＸ軸及びＹ軸の両方に対して斜めに延びた長径Ｄ１を有し、該長径Ｄ１の延在方向に直角な向きに短径Ｄ２を有する。より詳しくは、平面形状がほぼ長円形の上ケース板４０ｂは、全体として、歪んだスプーンのような輪郭形状を有する。従って、図６の（ｄ）に示したように、手首部Ｌが身体の前面に対して斜めに且つ水平に配置された際、長軸Ｄ１が体の前面に対してほぼ平行に左右に延び、短軸Ｄ２が身体の前面に対してほぼ垂直に前後に延びるような位置採るように、上ケース板４０ｂは、斜め方向に細長いほぼ長円形状を有する。
【００４３】
上ケース板４０ｂは、Ｙ軸に垂直な断面で厚さ方向を誇張してみると、図６の（ｃ）に示したように、内面４１ｂが曲率半径Ｃ１（図示せず）の湾曲面Ｓ２ｂをなし、この曲率半径Ｃ１は、例えば、Ｙ軸上の位置に依存せず、一定である。即ち、この例では、上ケース板４０ｂは、母線がＹ軸と平行な向きに延びた半径Ｃ１の円筒の一部を、斜めに長円形に切出すことによって得られる形状を有する。従って、上ケース板４０ｂの縁部は、三次元空間において湾曲した複雑な形状を有することになる。４２ｂ（図５）は、図１及び図２に示した係合突起４２と同様な係合突起である。但し、係合突起４２ｂは、上ケース板４０ｂの延在面内での形状（ないし周縁部の輪郭形状）及び湾曲形態に応じて選択される所望位置に形成され、係合突起４２の形成位置（四隅）とは異なる。
【００４４】
下ケース部材３０ｂも、上ケース板４０ｂと実質的に同様な外縁形状及び湾曲形態を備える点及び係合突起４２ｂに対応する位置に被係合孔３２ｂが形成される点を除いて、図１及び図２の下ケース部材３０と同様に構成される。
【００４５】
また、上下のケース部材４０ｂ、３０ｂに挟持されて湾曲状態で保持されるフィルム液晶パネル５０ｂも、上ケース板４０ｂや下ケース部材３０ｂと実質的に同様な外縁形状及び湾曲形態を備える点及び係合突起４２ｂに対応する位置に被係合孔５９ｂが形成される点を除いて、図１及び図２のフィルム液晶パネル５０と同様に構成される。
【００４６】
外装ケース２ｂの外周壁や凹部３ｂなども、上述のような液晶表示装置２０ｂが装着され、該液晶表示装置２０ｂの所定位置への装着状態において、上ケース板４０ｂがそのまま外装ガラスとして働くように、夫々湾曲した形状を有する。
【００４７】
なお、図６に示したように最大曲率の方向Ｘとフィルム液晶パネルの長軸Ｄ１の延在方向とが異なる（斜交する）場合においても、上下のケース及びその間のフィルム液晶パネルが単に重なり合った液晶表示装置２０（図１及び図２）の代わりに下ケースの凹部にフィルム液晶パネルを収容し該凹部を上ケースで塞ぐようにした液晶表示装置２０ａ（図３及び図４）と同様に、図７に示したように、下ケース部材３０ｃに液晶パネル５０ｃと同様な形状及び深さの凹部３５ｃを設けると共に下ケース部材３０ｃの凹部３５ｃの周壁３６ｃの上面３７ｃに上ケース板４０ｃの下面４１ｃの周縁部４４ｃを密接させることにより、液晶パネル５０ｃの上下両面を実質的に全域で挟持するようにしてもよい。
【００４８】
なお、図３及び図４の液晶表示装置２０ａや図７の液晶表示装置２０ｃにおいて、下ケース３０ａや３０ｃが凹部３５や３５ｃを備える代わりに、上ケース２０ａや２０ｃが凹部３５や３５ｃと同様な凹部を備え下ケース３０ａや３０ｃが該凹部を閉じるように構成されてもよい。
【００４９】
また、例えば、図３及び図４の液晶表示装置２０ａや図７の液晶表示装置２０ｃにおいて、上ケース板４０ａや４０ｃが下ケース部材３０ａや３０ｃの周壁３６や３６ｃに当接する代わりに、上ケース板４０ａや４０ｃが下ケース部材３０ａや３０ｃの凹部３５や３５ｃに丁度嵌合されるようにしておいてもよい。
【００５０】
更に、下ケース部材は、フィルム液晶パネルが部分的に凹むのを避けるべく、フィルム液晶パネルを確実に上ケース板の湾曲下面に押付け得、更に該押付けを適度な範囲内の押圧力で行ない得る限り、例えば、その中央部がメッシュ状であったり多孔板であってもよい。
【００５１】
なお、以上において示した上ケース板及び下ケースの湾曲形態は、単なる例であって、利用者にとって見易さや好ましいデザインであるなどの利点がある限り、例えば、Ｙ軸に垂直な面でみた上ケース板の曲率半径が一定でなくてもよく、例えば、中央からＸ方向の両端に近づく程曲率半径が徐々に大きくなっていても逆に徐々に小さくなっていてもよい。また、＋Ｘ方向に（前方ほど）曲率半径が徐々に大きくなっていたり、逆に徐々に小さくなっていたりする等他の形状でもよい。同様に、上ケース板や下ケースの延在面内での形状も、長方形やスプーン状の長円形の代わりに、楕円形や卵形など他のどのような形状でもよい。更に、上ケース板及び下ケースのうちの少なくともいずれか一方の周縁部の輪郭形状が、液晶パネルの周縁部の輪郭形状とは異なっていてもよい。また、以上において、上ケース板と下ケースとの結合に際しては、突起と孔との係合を利用するか否かにかかわらず、接着剤などを用いて相互の接着を行ってもよい。
【図面の簡単な説明】
【図１】本発明による好ましい一実施例の液晶表示装置を備えた電子時計の斜視分解説明図。
【図２】図１の電子時計の一部をＹ軸に垂直な断面でみた断面説明図。
【図３】図１の電子時計の変形例についての図１と同様な斜視説明図。
【図４】図３の電子時計の一部をＹ軸に垂直な断面でみた図２と同様な断面説明図。
【図５】図１の電子時計の別の変形例についての斜視説明図。
【図６】図５の電子時計の外形や外観を示したもので、（ａ）は左腕の手首に装着した状態の斜視説明図、（ｂ）は電子時計の平面説明図、（ｃ）は電子時計の一部（液晶表示装置部分）の断面説明図、（ｄ）は手首に装着した電子時計の表示時刻などが視認されるときの電子時計の位置を示した説明図。
【図７】図１の電子時計の更に別の変形例についての斜視説明図。
【符号の説明】
１、１ａ、１ｂ、１ｃ　電子時計
３、３ａ、３ｃ　凹部
２０、２０ａ、２０ｂ、２０ｃ　液晶表示装置
３０、３０ａ、３０ｂ、３０ｃ　下ケース部材
４０、４０ａ、４０ｂ、４０ｃ　上ケース板
５０、５０ａ、５０ｂ、５０ｃ　フィルム液晶装置
Ｓ１、Ｓ１ａ、Ｓ１ｂ、Ｓ１ｃ、Ｓ２、Ｓ２ａ、Ｓ２ｂ、Ｓ２ｃ　湾曲面
【図１】
2004069627.tif 000003
【図２】
2004069627.tif 000004
【図３】
2004069627.tif 000005
【図４】
2004069627.tif 000006
【図５】
2004069627.tif 000007
【図６】
2004069627.tif 000008
【図７】
2004069627.tif 000009